(57)【要約】【課題】ガラス瓶等へ巻き付け、その端部を封筒貼りするロール状ラベルにおいて、耐水性があり、断熱性と耐衝撃性に優れ、かつホットメルト接着剤による封筒貼り適性のある断熱性ロール状ラベルの提供にある。【解決手段】裏面に印刷インキ層１２が施された基材フィルム１０の印刷インキ層面に押出しポリエチレンでなる接着剤層１４を介して芯がポリエステル樹脂で鞘がポリエチレン樹脂でなる長繊維が平面状にランダムに開織、接着しているスパンポンド不織布１６が積層されている断熱性ロール状ラベル１とするものである。【選択図】図２
2004325988.tif 000002
【特許請求の範囲】
【請求項１】
容器本体の胴部に巻き付け、端部同士が封筒貼りされるロール状ラベルであって、裏面に印刷インキ層が施された透明な基材フィルムの印刷インキ層面に接着層を介して合成繊維の溶融紡糸による長繊維が平面状にランダムに開織、接着しているスパンポンド不織布が積層されていることを特徴とする断熱性ロール状ラベル。
【請求項２】
上記スパンポンド不織布を構成する長繊維は、芯がポリエステル樹脂でなり、その鞘がポリエチレン樹脂でなることを特徴とする請求項１に記載の断熱性ロール状ラベル。
【請求項３】
上記接着層は、基材フィルムとスパンポンド不織布との間に溶融押出しでラミネートせしめるポリエチレン樹脂でなることを特徴とする請求項１または２記載の断熱性ロール状ラベル。
【発明の詳細な説明】
【０００１】
【発明の属する技術分野】
本発明は、ガラス瓶やプラスチックボトル等の胴へ巻き付けて、その端部を封筒貼りするロール状のラベルに関するものであり、特に断熱性に優れるロール状ラベルに関する。
【０００２】
【従来の技術】
従来、ガラス瓶やプラスチックボトル用のロール状のラベル（胴ラベル）は、印刷された紙製のラベルが主体であったが、近年の清涼飲料等ボトル用の紙製のラベルでは、耐水性に欠けることなどの問題点があり、これら耐水性に欠ける問題点を補うものとして、例えば、表面に印刷された合成紙や裏刷りされているポリエチレンテレフタレートフィルム（ＰＥＴ）を基材フィルムとし、その印刷面にポリエチレンフィルムなどでなるシーラント層が積層されているものなどが使用されている。
【０００３】
上記合成紙あるいはプラスチックフィルム製のロール状のラベルは、ロールラベラー（ラベル貼り機）でその端縁部にホットメルト接着剤を塗布して、瓶等に巻き付け封筒貼りして商品としているものである。
【０００４】
【発明が解決しようとする課題】
しかしながら、上記の従来技術における合成紙あるいはプラスチックフィルム製のロール状のラベルでは、ホットメルト接着剤による封筒貼りで、比較的接着され易いポリエチレンが使用されているものでも、その接着強度が必ずしも満足のいくものではなかった。
また、断熱性に乏しいので、内容物の保温や保冷が十分でな、かつ手で掴んだ場合、クールものでは冷たすぎ、ホットものでは熱すぎて掴み難いという問題があり、さらに例えば冷蔵庫から出したものなどは露結して周辺を濡らすという問題があり、それら断熱性に乏しい問題の解決が望まれていた。
【０００５】
さらに上記合成紙製またはプラスチックフィルム製の胴ラベルでは、耐衝撃性に劣るため、その輸送や保管、運搬時に瓶等が破損するという危惧のあるものであった。
【０００６】
本発明は、かかる従来技術の問題点を解決するものであり、その課題とするところは、ガラス瓶やプラスチックボトル等へ巻き付け、その端部を封筒貼りするロール状ラベルにおいて、湿気等水に耐性があり、断熱性と耐衝撃性に優れ、かつ端部のホットメルト接着剤による封筒貼り適性のある断熱性ロール状ラベルを提供することにある。
【０００７】
【課題を解決するための手段】
本発明に於いて上記課題を達成するために、まず請求項１の発明では、容器本体の胴部に巻き付け、端部同士が封筒貼りされるロール状ラベルであって、裏面に印刷インキ層が施された透明な基材フィルムの印刷インキ層面に接着層を介して合成繊維の溶融紡糸による長繊維が平面状にランダムに開織、接着しているスパンポンド不織布が積層されていることを特徴とする断熱性ロール状ラベルとしたものである。
【０００８】
上記請求項１の発明によれば、裏面に印刷インキ層を有する基材フィルムの裏面に接着剤層を介してスパンポンド不織布が積層されているので、耐水性に優れるとともに断熱性に優れ、かつ耐衝撃性のある断熱性ロール状ラベルとすることができる。
【０００９】
また、請求項２の発明では、上記スパンポンド不織布を構成する長繊維は、芯がポリエステル樹脂でなり、その鞘がポリエチレン樹脂でなることを特徴とする請求項１に記載の断熱性ロール状ラベルとしたものである。
【００１０】
上記請求項２の発明によれば、スパンポンド不織布を構成する長繊維は、芯がポリエステル樹脂でなり、それをくるむ鞘がポリエチレン樹脂でなるものとすることによって、端部同士の封筒貼りに使用するホットメルト接着剤が長繊維の隙間に入り込み、かつ長繊維の鞘がホットメルト接着剤が接着され易いポリエチレン樹脂でなるので、ホットメルト接着剤による封筒貼り適性があり接着力に優れる断熱性ロール状ラベルとすることができる。
【００１１】
さらにまた、請求項３の発明では、上記接着層は、基材フィルムとスパンポンド不織布との間に溶融押出しでラミネートせしめるポリエチレン樹脂でなることを特徴とする請求項１または２に記載の断熱性ロール状ラベルとしたものである。
【００１２】
上記請求項３の発明によれば、基材フィルムとスパンポンド不織布との間に溶融ポリエチレン樹脂を押し出してラミネートする接着法としているので、ラミネート効率（生産性）がよいことと、このポリエチレン樹脂でなる接着層がスパンポンド不織布を構成する長繊維の隙間に入り込みかつ表面のポリエチレンと接着し易いことから、基材フィルムとスパンポンド不織布との接着をより強力にすることができる。
【００１３】
上記請求項でいうスパンポンド不織布とは、合成繊維の溶融紡糸による長繊維を使用するもので、この長繊維を圧搾空気で延伸し、静電気を利用して平面状にランダムに開織され、接着されて布状としたものをいう。
【００１４】
【発明の実施の形態】
以下本発明の実施の形態を図面を用いて詳細に説明する。
【００１５】
本発明は、図１の斜視図に示すように、例えば清涼飲料等を収納するガラス瓶本体（２０）の胴部（２０ａ）に巻き付け、その端部（１０ａ）で封筒貼りされて筒状とした断熱性ロール状ラベル（１）に関するものである。
【００１６】
そこで上記請求項１に係る発明は、図２の側断面図に示すように、例えば、透明な基材フィルム（１０）の裏面に絵柄や文字などでなる柄印刷層（１２ａ）が施され、その上面全面に白色印刷層（１２ｂ）が施されて印刷インキ層（１２）を形成し、この白色印刷層（１２ｂ）面に接着剤層（１４）を介してスパンポンド不織布（１６）が積層されている断熱性ロール状ラベル（１）とするものである。
【００１７】
上記スパンポンド不織布（１６）は、例えば図３の平面図に示すように、合成繊維の溶融紡糸による長繊維（１６ａ）を、静電気を利用して平面状にランダムに開織され、接着されて布状としたもので、その長繊維（１６ａ）間に隙間（１６ｂ）を有し、強靱で弾力性をも有するものである。
【００１８】
このように基材フィルム（１０）に強靱で弾力性をも有するスパンポンド不織布（１６）を積層したものとすることによって、従来の胴ラベルに比べ耐水性に優れるとともに断熱性に優れ、かつ耐衝撃性をも有する断熱性ロール状ラベル（１）とすることができる。
【００１９】
また、上記請求項２に係る発明は、図３に示すスパンポンド不織布（１６）を構成する長繊維（１６ａ）は、例えば図４の模式的斜視図に示すように、芯（１７）がポリエステル樹脂でなり、その鞘（１８）がポリエチレン樹脂でなるものである。
【００２０】
このような構成のスパンポンド不織布（１６）を用いることによって、例えば、図５の斜視図に示すように、端部（１０ａ）同士の封筒貼りに際し、その端部縁のスパンポンド不織布（１６）面に塗布するホットメルト接着剤（１１）が、図３に示す長繊維（１６ａ）の隙間（１６ｂ）に入り込み、かつ図４に示す長繊維（１６ａ）の鞘（１８）がポリエチレン樹脂でなるので、ホットメルト接着剤（１１）による封筒貼り適性のある断熱性ロール状ラベル（１）とすることができる。
【００２１】
さらにまた、上記請求項３に係る発明は、例えば、図２に示す基材フィルム（１０）の裏面の印刷インキ層（１２）面とスパンポンド不織布（１６）との間の接着剤層（１４）を溶融押出しでラミネートせしめるサンドポリエチレン層とした断熱性ロール状ラベル（１）である。
【００２２】
上記のように、基材フィルム（１０）とスパンポンド不織布（１６）との間の接着剤層（１４）を溶融押出しでラミネートせしめるサンドポリエチレン層とすることによって、ラミネート効率（生産性）を上げるとともに、このポリエチレン樹脂でなる接着剤層（１４）が、図３に示すスパンポンド不織布（１６）を構成する長繊維（１６ａ）の隙間（１６ｂ）に入り込み、かつ図４に示すような長繊維（１６ａ）の鞘（１８）表面のポリエチレンと接着し易いことから、基材フィルム（１０）とスパンポンド不織布（１６）との接着をより強力にすることができる。
【００２３】
上記本発明の断熱性ロール状ラベル（１）を構成する基材フィルム（１０）としては、厚さ１２μｍ程度のポリエチレンテレフタレートフィルム、１軸または２軸延伸ポリプロピレンフィルム、１軸また２軸延伸ポリアミド（ナイロン）フィルムなどが用いられ、これら基材フィルム（１０）の裏面にグラビア印刷法にて柄印刷層（１２ａ）と白色印刷層（１２ｂ）でなる印刷インキ層（１２）が施される。
【００２４】
また、本発明の断熱性ロール状ラベル（１）を構成するスパンポンド不織布（１６）としては、例えば、図４の模式図に示すように、合成繊維の溶融紡糸による長繊維（１６ａ）として、芯（１７）がポリエステル樹脂でなり、その鞘（１８）がポリエチレン樹脂でなるものを、静電気を利用して平面状にランダムに開織され、接着されて布状としたもので、具体的には、厚さ１００〜４００μｍ程度のスパンポンド不織布：エルベス（ユニチカ社製）などが好適に使用することができる。
【００２５】
また、本発明の断熱性ロール状ラベル（１）の端部同士を封筒貼りするホットメルト接着剤としては、例えばエチレン−酢酸ビニルコポリマー（ＥＶＡ）、ダイマー酸ベースのポリアミド樹脂、飽和共重合ポリエステル樹脂などの熱可塑性樹脂をベースポリマーとし、これらベースポリマーに、これらと相溶性が良好なロジンおよびロジン誘導体、ピネン系樹脂あるいはクマロン−インデン樹脂等で代表される石油樹脂を粘着付与剤（タッキファイア）と、さらに溶融粘度を下げ、軟化点やブロッキング性、ホットタック性等を調整するワックス類を混合したものが好適に使用され、専用のロールラベラー（ラベル貼機）で断熱性ロール状ラベル（１）の端部（１０ａ）に塗布し、図１に示すように、ホットメルト接着剤が塗布された断熱性ロール状ラベル（１）をガラス瓶本体（２０）の胴部（２０ａ）に巻き付けて封筒貼りして製品とするものである。
【００２６】
【発明の効果】
本発明は以上の構成であるから、下記に示す如き効果がある。
即ち、上記請求項１に係る発明においては、容器本体の胴部に巻き付け、端部同士が封筒貼りされるロール状ラベルにおいて、裏面に印刷インキ層が施された透明な基材フィルムの印刷インキ層面に接着層を介して合成繊維の溶融紡糸による長繊維が平面状にランダムに開織、接着しているスパンポンド不織布が積層されているので、耐水性に優れるとともに断熱性に優れ、かつ耐衝撃性のある断熱性ロール状ラベルとすることができ、すなわち断熱性にすぐれているので、内容物の保温や保冷に寄与し、かつ手で掴んだ場合、冷たすぎたり、熱すぎたりせず掴み易くなるという効果がある。
さらに例えば冷蔵庫から出したものでも露結することがなく、耐衝撃性にも優れるのでその輸送や保管、運搬時に瓶等が破損するという危惧のない断熱性ロール状ラベルを提供できる効果がある。
【００２７】
また、上記請求項２に係る発明において、スパンポンド不織布を構成する長繊維は、芯がポリエステル樹脂でなり、それをくるむ鞘がポリエチレン樹脂でなるものとすることによって、端部同士の封筒貼りに使用するホットメルト接着剤がこのスパンポンド不織布を構成する長繊維の隙間に入り込み、かつ長繊維の鞘がホットメルト接着剤が接着され易いポリエチレン樹脂でなるので、ホットメルト接着剤による封筒貼り適性があり接着力に優れる断熱性ロール状ラベルとすることができる効果がある。
【００２８】
さらにまた、上記請求項３に係る発明において、基材フィルムとスパンポンド不織布との間に溶融ポリエチレン樹脂を押し出してラミネートする接着法としているので、ラミネート効率（生産性）がよいことと、このポリエチレン樹脂でなる接着層がスパンポンド不織布を構成する長繊維の隙間に入り込みかつ表面のポリエチレンと接着し易いことから、基材フィルムとスパンポンド不織布との接着をより強力にすることができる効果がある。
【００２９】
従って本発明は、ガラス瓶やプラスチックボトル等の胴へ巻き付けて、その端部を封筒貼りするロール状のラベルとして、優れた実用上の効果を発揮する。
【図面の簡単な説明】
【図１】本発明の断熱性ロール状ラベルを貼付した容器の一実施の形態を説明する斜視図である。
【図２】本発明の断熱性ロール状ラベルの一実施の形態を側断面で表した説明図である。
【図３】本発明の断熱性ロール状ラベルを構成するスパンポンド不織布の一事例を表面で表した説明図である。
【図４】本発明の断熱性ロール状ラベルを構成するスパンポンド不織布の長繊維の一事例を示す模式図である。
【図５】本発明の断熱性ロール状ラベルが貼付された状態の一事例を示す斜視図である。
【符号の説明】
１‥‥断熱性ロール状ラベル
１０‥‥基材フィルム
１０ａ‥‥断熱性ロール状ラベルの端部
１１‥‥ホットメルト接着剤層
１２‥‥印刷インキ層
１２ａ‥‥柄印刷層
１２ｂ‥‥白色印刷層
１４‥‥接着剤層
１６‥‥スパンポント不織布
１６ａ‥‥長繊維
１６ｂ‥‥長繊維の隙間
１７‥‥長繊維の芯
１８‥‥長繊維の鞘
２０‥‥ガラス瓶本体
２０ａ‥‥ガラス瓶の胴部
【図１】
2004325988.tif 000003
【図２】
2004325988.tif 000004
【図３】
2004325988.tif 000005
【図４】
2004325988.tif 000006
【図５】
2004325988.tif 000007